(57)【特許請求の範囲】
【請求項１】
少なくとも１回線の接続機能を有した回線接続部と、
同報通信が指定されたときに、主宛先の入力を指定するための主宛先専用操作スイッチと、
同報通信が指定されたときに、主宛先に付加指定することが可能な副宛先の入力を指定するための副宛先専用操作スイッチと、
主宛先専用操作スイッチとテンキー、ワンタッチキーあるいは短縮ダイヤルとを順次組合せ操作して入力された主宛先番号、および副宛先専用操作スイッチとテンキー、ワンタッチキーあるいは短縮ダイヤルとを順次組合せ操作して入力された副宛先番号に対し、上記回線接続部を介して、画像データを同報通信する制御部とを備えたことを特徴とするファクシミリ装置。
【請求項２】
請求項１において、
入力された主宛先及び副宛先を記憶した記憶部を備えており、
上記制御部は、上記記憶部に記憶された主宛先と副宛先のすべてに対し、上記回線接続部を介して、画像データに変換した主宛先と副宛先を付加した画像データを同報通信することを特徴とするファクシミリ装置。
【発明の詳細な説明】
【０００１】
【発明の属する技術分野】
本発明は、同報通信が行えるファクシミリ装置の改良に関する。
【０００２】
【従来の技術】
従来から、画像通信装置の１つであるファクシミリ装置には、同報送信機能が備わっており、同報送信を指示する操作をした後に、複数の相手先のダイヤル番号を順に、直接テンキーで入力操作したり、予め登録されているワンタッチダイヤルや短縮ダイヤル用の番号の指定操作をすれば、その操作した番号のすべてに対して、読み取った同じ原稿画像を送信できるようになっている。
【０００３】
【発明が解決しようとする課題】
ところが、上記従来の画像通信装置では、複数の相手先に対し、画像を見た後に何等かの返事などが欲しい主となる相手先（主宛先）と、画像を見るだけでよい相手先（副宛先）とを区別して指定（いわゆるカーボンコピー機能）することができず、このような指定をするには、送信する画像にその旨を記載しておく必要があった。
【０００４】
本発明はこのような事情に鑑みて提案されたものであり、主宛先と副宛先とを簡易に指定して同報通信が行えるファクシミリ装置を提供することを目的として提案される。
【０００５】
【課題を解決するための手段】
上記目的を達成するために提案される請求項１に記載のファクシミリ装置は、少なくとも１回線の接続機能を有した回線接続部と、同報通信が指定されたときに、主宛先の入力を指定するための主宛先専用操作スイッチと、同報通信が指定されたときに、主宛先に付加指定することが可能な副宛先の入力を指定するための副宛先専用操作スイッチと、主宛先専用操作スイッチとテンキー、ワンタッチキーあるいは短縮ダイヤルとを順次組合せ操作して入力された主宛先番号、および副宛先専用操作スイッチとテンキー、ワンタッチキーあるいは短縮ダイヤルとを順次組合せ操作して入力された副宛先番号に対し、上記回線接続部を介して、画像データを同報通信する制御部とを備えている。なお、操作部によって入力された主宛先と副宛先に対しては、回線接続部の１の回線を介して順次画像データを送信、あるいは、回線接続部の複数の回線を介して並行して画像データを送信する。
【０００６】
請求項２では、請求項１において、入力された主宛先及び副宛先を記憶した記憶部を備えており、制御部は、記憶部に記憶された主宛先と副宛先のすべてに対し、回線接続部を介して、画像データに変換した主宛先と副宛先を付加した画像データを同報通信することを特徴としている。
【０００７】
【発明の実施の形態】
以下に、図面を参照して本発明の実施の形態を説明する。
図１は、本発明のファクシミリ装置の内部構成の一例を示すブロック図である。
ここでは、本発明のファクシミリ装置Ｆの構成例を示しているが、本発明技術は、コンピュータ通信網を接続可能とした電子メール機能付ファクシミリ装置や、データ通信機能を備えたパーソナルコンピュータ等にも適用可能である。
【０００８】
主制御部１は、ＣＰＵ等で本発明の制御部を構成し、このファクシミリ装置Ｆの各部を制御するだけではなく、符号化及び復号化などの処理を実行する。
ＮＣＵ２は通信回線Ｌ（アナログ回線）の閉結、開放を行う。モデム３はファクシミリ通信のために信号の変調、復調を行う。これらＮＣＵ２とモデム３が、本発明の回線接続部を構成しており、ここには１回線（通信回線Ｌ）のみを接続している構成を示しているが、ＮＣＵ２及びモデム３を複数備えて、複数の回線を接続してもよい。また、ＤＳＵ（不図示）を備えて、ＩＳＤＮ回線等のデジタル回線を接続するようにしてもよい。
【０００９】
画像メモリ４はＤＲＡＭ等で構成されイメージデータを記憶する。ＲＡＭ５は処理の実行時に発生する一時的なデータを記憶する他、本発明の記憶部を構成して、主宛先と副宛先となる、ファクシミリ番号や電子メールアドレスなどを記憶する。
表示部６は液晶表示装置などを備え、このファクシミリ装置Ｆの動作状態やイメージデータを表示する。操作部７は各種キーを備えて、このファクシミリ装置Ｆに対し各種入力設定を行う。読取部８は、ＣＣＤ等で原稿を読み取り、白黒２値のイメージデータを出力する。記録部９は、電子写真方式などのプリンタを備え、他のファクシミリ装置などから受信したデータをイメージデータにして記録（印字出力）する。
【００１０】
外部記録媒体読取部１０は、フロッピーディスクなどの記録媒体ｆｄからプログラムデータを読み取る。主制御部１は、この読み取ったプログラムの命令に従って、以下に説明するように、ファクシミリ装置Ｆの動作を制御する。なお、記録媒体ｆｄは、光ディスクやＲＯＭなどであってもよい。
このファクシミリ装置Ｆは、読取部６で読み取った画像データを符号化して、通信回線Ｌを通じて送信する一方、通信回線Ｌを通じて受信した画像データを復号し、この画像データを記録部９から印字出力する基本動作をなす。
【００１１】
なお、この装置が電子メール機能を備えていれば、データモデム（不図示）を備えて、電子メールとして送受信する信号の変調、復調を行い、また、外部インターフェース（不図示）を備えて、これを介して接続したパソコン等の他の画像通信装置によるファクシミリ通信や電子メールの送受信を可能にする。
このファクシミリ装置Ｆでは、操作部７にＴＯ：キー７ａとＣＣ：キー７ｂとを備えており、ＴＯ：キー７ａによって主宛先が、ＣＣ：キー７ｂによって副宛先が指定できるようになっている。主制御部１では、操作部７によって指定され入力された主宛先と副宛先のすべてに対し、回線接続部であるＮＣＵ２及びモデム３を介して、画像データを同報通信する。
【００１２】
ここでは、１回線のみを接続した構成になっているので、この回線Ｌを介して順次画像データを送信するが、回線接続部に複数の回線を接続している場合には、複数の回線を介して並行して画像データを送信することもできる。
また、同じダイヤル番号に２以上の宛先（主宛先、副宛先を問わない）がある場合は、同じ画像データをその宛先分送信してもよいし、先頭ページや表紙（送信側において先頭ページより前に付加するページ）のみを宛先分送信して、残りは１回だけ送信するようにしてもよい。
【００１３】
図２には、操作部７及び表示部６の外観を模式的に示している。（ａ）は表示部６と操作部７とで構成された操作パネルを示しており、液晶画面などで構成された表示部６への表示を見ながら、操作部７を操作して同報通信を指示することができる。なお、操作部７には、ＴＯ：キー７ａ、ＣＣ：キー７ｂの他に、ダイヤル番号などを入力するテンキー７ｃや、同報通信キー、ワンタッチキー、短縮キーなどを含んだ各種ファンクションキー７ｄを備えている。
【００１４】
同報通信を行うときには、ファンクションキー７ｄ内の同報通信キーを操作した後、ＴＯ：キー７ａを操作し主宛先となるダイヤル番号を入力する。更に、ＣＣ：キー７ｂを操作し副宛先となるダイヤル番号を入力する。主宛先あるいは副宛先が複数ある時には、ＴＯ：キー７ａあるいはＣＣ：キー７ｂと、ダイヤル番号の入力を繰り返す。なお、ダイヤル番号の入力は、テンキー７ｃによって直接入力してもよいし、ワンタッチキーなどを操作して、予めＲＡＭ５に登録されているダイヤル番号を入力するようにしてもよい。
【００１５】
（ｂ）は、上記操作時の表示部６への表示例を示している。ここでは、主宛先として「ＸＸＸ」のみ、副宛先として「ＹＹＹ」と「ＺＺＺ」が入力されている。ここへの表示は、ダイヤル番号以外に、予めダイヤル番号に対応して登録されている相手先名称などであってもよい。
このファクシミリ装置Ｆは、上記のようにして同報通信を行うときには、送信する画像データに、画像データに変換した主宛先と副宛先を付加してから、送信することが出来る。
【００１６】
このため、主制御部１は、操作部７から入力されたダイヤル番号を文字コード（数字）に変換して画像に付加する機能、あるいは、主宛先と副宛先をＲＡＭ５に記憶し、この記憶した主宛先と副宛先をダイヤル番号や名称などの文字コードに変換して画像に付加する機能を有している。
図３には、このときの動作をフローチャートで示している。
【００１７】
ステップ１００〜１０５には、図２とともに説明した主宛先（ＴＯ：）と副宛先（ＣＣ：）の入力操作を示しており、ここでは、表示部６の表示で操作を促すようになっている（ステップ１００，１０２）。
操作部７内のスタートキー（不図示）を操作することによって、すべての宛先の入力が終了すれば、ＲＡＭ５内に、宛先となる各送信先のダイヤル番号に対して、ＴＯ：あるいはＣＣ：の属性をセットして、読取部８で原稿画像を読み取り、このデータを画像メモリ４に蓄積する（ステップ１０６）。
【００１８】
続いて、各宛先のダイヤル番号に対し、順に画像データを送信するが、送信前にダイヤル番号に対応してセットされた属性をチェックし、送信画像の先頭に付加されるＴＴＩ部（ＴＴＩコード）に、属性に応じた各文字列を展開する（ステップ１０７〜１１２）。なお、ここでは、送信先ごとに属性に応じた文字列を展開するようになっているが、すべての送信先が分かるように他の宛先の属性に応じた文字列も合わせて展開するようにしてもよい。また、ここでは、副宛先は２つだけ（ＣＣ１とＣＣ２）であるがこれには限定されない。
【００１９】
ＴＴＩ部に宛先の文字列を展開すれば、その他の日付や発信元などのデータをキャラクターバッファ（不図示）に展開した後、このＴＴＩ部をイメージデータに変換し符号化して、画像データ（実画データ）に付加して送信する（ステップ１１３〜１１６）。
図４には、宛先として指定された受信側で記録した画像データの例を示している。ここには、主宛先（ＴＯ：）と副宛先（ＣＣ：）とがすべて画像データとして付加されており、送信側装置の主制御部１によって、自己の宛先には下線が自動的に引かれる場合を示している。
【００２０】
（ａ）は図３において説明したようにＴＴＩコードに宛先を付加する場合（矢印ア）の例、（ｂ）は表紙に各名称に変換された宛先を付加する場合（矢印イ）の例である。受信側では、この記録された画像データを参照して、自装置が主宛先なのか、副宛先なのかが容易にわかるようになっている。
以上には、ファクシミリ通信において同報通信する場合を説明したが、本発明は、電子メールの通信にも適用される。この場合も、簡単なキー操作で、電子メールのヘッダ情報に、主宛先（ＴＯ：）と副宛先（ＣＣ：）として電子メールアドレスを設定することが出来る。
【００２１】
なお、以上に説明した機能を実施するためのプログラムは、外部記録媒体読取部１０から読み取りできるようになっているので、本発明の画像通信装置がパソコンであるときは特に、上記プログラムを記録した記録媒体ｆｄを読み取るだけで、簡単操作により主宛先と副宛先を指定できる同報通信機能を備えることが出来る。
【００２２】
【発明の効果】
以上の説明からも理解できるように、本発明の請求項１に記載のファクシミリ装置によれば、主宛先と副宛先とを入力操作することによって、簡易に同報通信を行うことが出来る。
請求項２によれば、受信側では、主宛先と副宛先が付加された画像データを受信するので、自装置以外の他の宛先が容易に分かる。
【図面の簡単な説明】
【図１】  本発明のファクシミリ装置の内部構成の一例を示したブロック図である。
【図２】  操作部及び表示部の外観を模式的に示した図である。
【図３】  本発明のファクシミリ装置の基本動作の一例を示すフローチャートである。
【図４】  各宛先で受信した画像データの例を示す図である。
【符号の説明】
Ｆ・・・ファクシミリ装置
１・・・主制御部
２・・・ＮＣＵ
３・・・モデム
５・・・ＲＡＭ
６・・・表示部
７・・・操作部
７ａ・・・ＴＯ：キー
７ｂ・・・ＣＣ：キー
１０・・・外部記録媒体読取部
ｆｄ・・・記録媒体
Ｌ・・・通信回線
【図１】
0003713913.tif 000002
【図２】
0003713913.tif 000003
【図３】
0003713913.tif 000004
【図４】
0003713913.tif 000005